(57)【特許請求の範囲】
【請求項１】
婦人の体温に関連する情報を表示画面に表示する婦人体温関連情報表示装置であって、
上記婦人の複数の生理周期について生理開始日または排卵推定日を取得する起点情報取得部と、
生理周期に伴って現れる複数種類の症状または行動のうち上記婦人が上記複数の生理周期について日ごとに示した１種類以上の症状または行動を入力する症状行動入力部と、
上記表示画面上で、日にち順を一方向に伸びる第１の方向に設定し、上記起点情報取得部によって取得された生理開始日または排卵推定日から予定される次回の生理開始日または排卵推定日を基準日とし、上記基準日から遡った複数日間の長さを少なくとも有し、かつ本日を含む今回の期間について、上記症状行動入力部によって入力された上記婦人の症状または行動を日ごとに表示する第１の表示欄と、上記今回の期間よりも前で複数日間の長さを有する過去の期間について、上記症状行動入力部によって入力された上記婦人の症状または行動を日ごとに表示する第２の表示欄とを、上記第１の方向に対して垂直な第２の方向に並べて表示する表示欄作成表示部と、
上記表示画面上で、上記第１の表示欄の画像と上記第２の表示欄の画像とを上記第１の方向に沿って相対的にスライドさせるための操作部と
を備え、
上記表示欄作成表示部は、上記第１、第２の表示欄に、それぞれその表示欄に含まれた過去または次回の生理開始日または排卵推定日の位置を示す目印を表示することを特徴とする婦人体温関連情報表示装置。
【請求項２】
請求項１に記載の婦人体温関連情報表示装置において、
上記第１の表示欄は、
上記第１の方向に沿って、上記今回の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有し、
上記第２の表示欄は、
上記第１の方向に沿って、上記過去の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有することを特徴とする婦人体温関連情報表示装置。
【請求項３】
請求項１または２に記載の婦人体温関連情報表示装置において、
上記表示欄作成表示部は、上記目印として、上記第１、第２の表示欄に、それぞれその表示欄に含まれた生理開始日または排卵推定日の位置を通り、上記第２の方向に沿って延びるカーソル線を表示することを特徴とする婦人体温関連情報表示装置。
【請求項４】
請求項３に記載の婦人体温関連情報表示装置において、
上記表示欄作成表示部は、上記カーソル線が上記生理開始日または排卵推定日のいずれに対応するかを、色とマークの少なくとも一方で区別して表示することを特徴とする婦人体温関連情報表示装置。
【請求項５】
請求項１から４までのいずれか一つに記載の婦人体温関連情報表示装置において、
上記婦人の上記複数の生理周期について日ごとの基礎体温を取得する基礎体温取得部を備え、
上記起点情報取得部は、上記基礎体温取得部によって取得された基礎体温に基づいて、上記婦人の過去の生理開始日または排卵推定日を推定して取得することを特徴とする婦人体温関連情報表示装置。
【請求項６】
請求項１に記載の婦人体温関連情報表示装置において、
上記婦人の上記複数の生理周期について日ごとの基礎体温を取得する基礎体温取得部と、
上記表示画面上で、上記第２の方向に関して上記第１の表示欄と上記第２の表示欄との少なくとも一方に隣り合って、その表示欄の期間に対応する日ごとの上記婦人の基礎体温をグラフ表示するグラフ作成表示部とを備えたことを特徴とする婦人体温関連情報表示装置。
【請求項７】
婦人の体温に関連する情報を表示画面に表示する方法をコンピュータに実行させるためのプログラムであって、
上記方法は、
上記婦人の複数の生理周期について生理開始日または排卵推定日を取得するとともに、生理周期に伴って現れる複数種類の症状または行動のうち上記婦人が上記複数の生理周期について日ごとに示した１種類以上の症状または行動を入力する第１ステップと、
上記表示画面上で、日にち順を一方向に伸びる第１の方向に設定し、上記第１ステップによって取得された生理開始日または排卵推定日から予定される次回の生理開始日または排卵推定日を基準日とし、上記基準日から遡った複数日間の長さを少なくとも有し、かつ本日を含む今回の期間について、上記第１ステップによって入力された上記婦人の本日までの症状または行動を日ごとに表示する第１の表示欄と、上記今回の期間よりも前で複数日間の長さを有する過去の期間について、上記第１ステップによって入力された上記婦人の症状または行動を日ごとに表示する第２の表示欄とを、上記第１の方向に対して垂直な第２の方向に並べて表示する第２ステップと、
操作部による操作に応じて、上記表示画面上で、上記第１の表示欄の画像と上記第２の表示欄の画像とを上記第１の方向に沿って相対的にスライドさせる第３ステップと
を有し、
上記第２ステップから上記第３ステップにわたって、上記第１、第２の表示欄に、それぞれその表示欄に含まれた過去または次回の生理開始日または排卵推定日の位置を示す目印を表示することを特徴とするプログラム。
【請求項８】
請求項７に記載のプログラムにおいて、
上記第１の表示欄は、
上記第１の方向に沿って、上記今回の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有し、
上記第２の表示欄は、
上記第１の方向に沿って、上記過去の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有することを特徴とするプログラム。
【請求項９】
請求項７または８に記載のプログラムにおいて、
上記目印として、上記第１、第２の表示欄に、それぞれその表示欄に含まれた生理開始日または排卵推定日の位置を通り、上記第２の方向に沿って延びるカーソル線を表示することを特徴とするプログラム。
【発明の詳細な説明】
【技術分野】
【０００１】
この発明は、婦人の体温に関連する情報を表示画面に表示する婦人体温関連情報表示装置に関する。
【０００２】
また、この発明は、婦人の体温に関連する情報を表示画面に表示する方法をコンピュータに実行させるためのプログラムに関する。
【背景技術】
【０００３】
従来、婦人の体温に関連する情報を表示する装置としては、特許文献１（特許第３５８６０６４号公報）に開示されているように、体温を測定する体温測定部と、体温の測定に付随する各種情報（症状など）を入力する入力部とを備え、入力されたメモ情報と一緒に基礎体温を表示画面に表示する体温計が知られている。
【０００４】
また、メモ情報と一緒に基礎体温を、通信や手入力によってパーソナルコンピュータに取り込み、ユーザの健康管理をサポートするデータ記録プログラムも知られている。
【０００５】
また、特許文献２（特開２００８−２７６６７０号公報）、特許文献３（特開２０１０−１６７０４３号公報）に開示されているように、体温計で測定した基礎体温や症状などを表すメモ情報を、携帯電話やスマートフォンから手入力して、サーバに取り込み、ユーザの健康管理をサポートする健康管理支援システムが知られている。
【０００６】
これらの方式（装置やプログラム等）によれば、基礎体温や症状などに基づいて、ユーザの健康管理が支援される。
【先行技術文献】
【特許文献】
【０００７】
【特許文献１】特許第３５８６０６４号公報
【特許文献２】特開２００８−２７６６７０号公報
【特許文献３】特開２０１０−１６７０４３号公報
【発明の概要】
【発明が解決しようとする課題】
【０００８】
しかしながら、上記従来の方式では、上記基礎体温や症状などを表すメモ情報は、日記として振り返られるものでしかなく、ユーザの健康管理を支援するために十分に活用されているとは言えない。例えば、生理周期で繰り返し出てくる女性特有の症状や行動について、表示画面上で過去の生理周期と今回の生理周期との間で比較することが難しい。このため、それらの症状や行動に対する対策が適切にとれなかったり、遅れたりするという問題がある。
【０００９】
そこで、この発明の課題は、婦人の体温に関連する情報を表示画面に表示する婦人体温関連情報表示装置であって、生理周期で繰り返し出てくる女性特有の症状や行動について、表示画面上で過去の生理周期と今回の生理周期との間で対比でき、上記婦人の健康管理をより良く支援できるものを提供することにある。
【００１０】
また、この発明の課題は、婦人の体温に関連する情報を表示画面に表示する方法をコンピュータに実行させるためのプログラムであって、生理周期で繰り返し出てくる女性特有の症状や行動について、表示画面上で過去の生理周期と今回の生理周期との間で対比でき、上記婦人の健康管理をより良く支援できるものを提供することにある。
【課題を解決するための手段】
【００１１】
上記課題を解決するため、この発明の婦人体温関連情報表示装置は、
婦人の体温に関連する情報を表示画面に表示する婦人体温関連情報表示装置であって、
上記婦人の複数の生理周期について生理開始日または排卵推定日を取得する起点情報取得部と、
生理周期に伴って現れる複数種類の症状または行動のうち上記婦人が上記複数の生理周期について日ごとに示した１種類以上の症状または行動を入力する症状行動入力部と、
上記表示画面上で、日にち順を一方向に伸びる第１の方向に設定し、上記起点情報取得部によって取得された生理開始日または排卵推定日から予定される次回の生理開始日または排卵推定日を基準日とし、上記基準日から遡った複数日間の長さを少なくとも有し、かつ本日を含む今回の期間について、上記症状行動入力部によって入力された上記婦人の症状または行動を日ごとに表示する第１の表示欄と、上記今回の期間よりも前で複数日間の長さを有する過去の期間について、上記症状行動入力部によって入力された上記婦人の症状または行動を日ごとに表示する第２の表示欄とを、上記第１の方向に対して垂直な第２の方向に並べて表示する表示欄作成表示部と、
上記表示画面上で、上記第１の表示欄の画像と上記第２の表示欄の画像とを上記第１の方向に沿って相対的にスライドさせるための操作部と
を備え、
上記表示欄作成表示部は、上記第１、第２の表示欄に、それぞれその表示欄に含まれた過去または次回の生理開始日または排卵推定日の位置を示す目印を表示することを特徴とする。
【００１２】
本明細書で、「生理開始日を〜取得する」とは、例えば操作部（タッチパネル、キーボード、マウスなど）を介してユーザが生理開始日を直接入力することにより取得することを意味する。ただし、体温計によって測定された婦人の日ごとの基礎体温を例えば通信部（近距離無線通信（Near Field Communication）など）を介して取得し、その基礎体温データに基づいて生理開始日を推定して求めても良い。
【００１３】
「排卵推定日を〜取得する」とは、体温計によって測定された婦人の日ごとの基礎体温を例えば通信部を介して取得し、その基礎体温データに基づいて排卵推定日を推定して求めることを意味する。
【００１４】
生理周期に伴って現れる「症状」としては、出血、おりもの、発熱、痛み、胸の張り、むくみ、食欲増加、気分の落ち込み、いらいらなどが挙げられる。生理周期に伴って現れる「行動」としては、服薬、性交、受診などが挙げられる。
【００１５】
表示される「今回の期間」、「過去の期間」の「長さ」は、婦人が示した症状または行動の傾向を表すために少なくとも３日間であるのが望ましく、さらに、多くの人の標準的な生活のサイクルである７日間よりも長いのが望ましく、さらに、標準的な生理周期の半分である１４日間よりも長いのが望ましく、さらに、標準的な生理周期である２８日間よりも長いのが望ましい。
【００１６】
「過去の期間」が「今回の期間よりも前」であるとは、過去の期間が今回の期間から必ずしも離れている必要はなく、過去の期間が今回の期間の一部と重なっていても良い意味である。
【００１７】
この発明の婦人体温関連情報表示装置では、起点情報取得部は、婦人の複数の生理周期について生理開始日または排卵推定日を取得する。症状行動入力部は、生理周期に伴って現れる複数種類の症状または行動のうち上記婦人が上記複数の生理周期について日ごとに示した１種類以上の症状または行動を入力する。表示欄作成表示部は、表示画面上で、日にち順を一方向に伸びる第１の方向に設定する。これとともに、表示欄作成表示部は、上記表示画面上で、上記起点情報取得部によって取得された生理開始日または排卵推定日から予定される次回の生理開始日または排卵推定日を基準日とし、上記基準日から遡った複数日間の長さを少なくとも有し、かつ本日を含む今回の期間について、上記症状行動入力部によって入力された上記婦人の本日までの症状または行動を日ごとに表示する第１の表示欄と、上記今回の期間よりも前で複数日間の長さを有する過去の期間について、上記症状行動入力部によって入力された上記婦人の症状または行動を日ごとに表示する第２の表示欄とを、上記第１の方向に対して垂直な第２の方向に並べて表示する。また、この表示欄作成表示部は、上記第１、第２の表示欄に、それぞれその表示欄に含まれた過去または次回の生理開始日または排卵推定日の位置を示す目印を表示する。そして、操作部による操作に応じて、上記表示画面上で、上記第１の表示欄の画像と上記第２の表示欄の画像とを上記第１の方向に沿って相対的にスライドさせる。
【００１８】
このように動作する場合、この婦人体温関連情報表示装置によれば、ユーザは、上記表示画面上で、上記婦人が上記過去の期間において日ごとに示した症状または行動と、上記婦人が今回の期間において本日までに日ごとに示した症状または行動とを、比較して見ることができる。例えば、ユーザ（典型的には、上記婦人を指す。以下同様。）が操作部を操作して、上記表示画面上で、上記第１の表示欄の画像と上記第２の表示欄の画像とを上記第１の方向に沿って相対的にスライドさせて、上記過去の期間における生理開始日（または排卵推定日）と、上記今回の期間における次回の生理開始日（または排卵推定日）とを、上記第１、第２の表示欄に含まれた過去または次回の生理開始日（または排卵推定日）の位置を示す目印を用いて、上記第１の方向に関して同じ位置に揃えるものとする。すると、上記表示画面上に、上記婦人が上記過去の期間において日ごとに示した症状または行動と、上記婦人が今回の期間において本日までに日ごとに示した症状または行動とが、周期を揃えて対比して表示される。これにより、今回の期間において本日以降、次回の生理開始日（または排卵推定日）までの間に、上記婦人がどのような症状または行動を示す傾向があるかが、予想可能となる。したがって、上記婦人は、それらの症状または行動に予め備えておくことができる。このようにして、この婦人体温関連情報表示装置によれば、上記婦人の健康管理をより良く支援できる。また、ユーザは、上記操作部を操作して、上記表示画面上で、上記第１の表示欄の画像と上記第２の表示欄の画像とを上記第１の方向に沿って相対的にスライドさせる際に、例えば上記過去の期間における生理開始日（または排卵推定日）と上記今回の期間における次回の生理予定日（または排卵予定日）とを、上記目印を目安として、上記第１の方向に関して同じ位置に容易に揃えることができる。
【００１９】
一実施形態の婦人体温関連情報表示装置では、
上記第１の表示欄は、
上記第１の方向に沿って、上記今回の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有し、
上記第２の表示欄は、
上記第１の方向に沿って、上記過去の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有することを特徴とする。
【００２０】
この一実施形態の婦人体温関連情報表示装置では、上記婦人が上記今回の期間（本日まで）に日ごとに示した１種類以上の症状または行動が、上記第１の表示欄に表形式で表示される。また、上記婦人が上記過去の期間に日ごとに示した１種類以上の症状または行動が、上記第２の表示欄に表形式で表示される。したがって、ユーザは、上記表示画面上で、上記婦人が上記過去の期間において日ごとに示した症状または行動と、上記婦人が今回の期間において本日までに日ごとに示した症状または行動とを、容易に比較することができる。
【００２１】
一実施形態の婦人体温関連情報表示装置では、上記表示欄作成表示部は、上記目印として、上記第１、第２の表示欄に、それぞれその表示欄に含まれた生理開始日または排卵推定日の位置を通り、上記第２の方向に沿って延びるカーソル線を表示することを特徴とする。
【００２２】
この一実施形態の婦人体温関連情報表示装置では、ユーザは、上記操作部を操作して、上記表示画面上で、上記第１の表示欄の画像と上記第２の表示欄の画像とを上記第１の方向に沿って相対的にスライドさせる際に、例えば上記過去の期間における生理開始日（または排卵推定日）と上記今回の期間における次回の生理予定日（または排卵予定日）とを、上記カーソル線を目安として、上記第１の方向に関して同じ位置に容易に揃えることができる。
【００２３】
一実施形態の婦人体温関連情報表示装置では、上記表示欄作成表示部は、上記カーソル線が上記生理開始日または排卵推定日のいずれに対応するかを、色とマークの少なくとも一方で区別して表示することを特徴とする。
【００２４】
この一実施形態の婦人体温関連情報表示装置では、上記表示欄作成表示部は、上記カーソル線が上記生理開始日または排卵推定日のいずれに対応するかを、色とマークの少なくとも一方で区別して表示する。したがって、ユーザは、上記表示画面上に表示されたカーソル線が上記生理開始日または排卵推定日のいずれに対応するかを、容易に把握することができる。このことは、例えば、上記第１の表示欄に、その表示欄に含まれた生理開始日の位置を通る第１のカーソル線と、その表示欄に含まれた排卵推定日の位置を通る第２のカーソル線との両方を表示するとともに、上記第２の表示欄に、その表示欄に含まれた生理開始日の位置を通る第１のカーソル線と、その表示欄に含まれた排卵推定日の位置を通る第２のカーソル線との両方を表示する場合に、上記第１のカーソル線と上記第２のカーソル線との間の区別が容易になり、有益である。
【００２５】
一実施形態の婦人体温関連情報表示装置では、
上記婦人の上記複数の生理周期について日ごとの基礎体温を取得する基礎体温取得部を備え、
上記起点情報取得部は、上記基礎体温取得部によって取得された基礎体温に基づいて、上記婦人の過去の生理開始日または排卵推定日を推定して取得することを特徴とする。
【００２６】
本明細書で、「基礎体温を取得する」とは、例えば体温計によって測定された婦人の日ごとの基礎体温を例えば通信部（近距離無線通信（Near Field Communication）など）を介して取得することを意味する。ただし、例えば操作部（タッチパネル、キーボード、マウスなど）を介してユーザが基礎体温を直接入力することにより取得しても良い。
【００２７】
この一実施形態の婦人体温関連情報表示装置では、基礎体温取得部は、上記婦人の上記複数の生理周期について日ごとの基礎体温を取得する。そして、上記起点情報取得部は、上記基礎体温取得部によって取得された基礎体温に基づいて、上記婦人の過去の生理開始日または排卵推定日を推定して取得する。したがって、ユーザは、上記婦人の過去の生理開始日または排卵推定日を、例えば操作部（タッチパネル、キーボード、マウスなど）を介して入力する必要がなく、入力の手間が省ける。
【００２８】
一実施形態の婦人体温関連情報表示装置では、
上記婦人の上記複数の生理周期について日ごとの基礎体温を取得する基礎体温取得部と、
上記表示画面上で、上記第２の方向に関して上記第１の表示欄と上記第２の表示欄との少なくとも一方に隣り合って、その表示欄の期間に対応する日ごとの上記婦人の基礎体温をグラフ表示するグラフ作成表示部とを備えたことを特徴とする。
【００２９】
この一実施形態の婦人体温関連情報表示装置では、グラフ作成表示部は、上記表示画面上で、上記第２の方向に関して上記第１の表示欄と上記第２の表示欄との少なくとも一方に隣り合って、その表示欄の期間に対応する日ごとの上記婦人の基礎体温をグラフ表示する。したがって、ユーザは、その表示欄に日ごとに表示された上記婦人の症状または行動と上記グラフ表示された基礎体温の変化との関係を直感的に把握できる。
【００３０】
この発明のプログラムは、
婦人の体温に関連する情報を表示画面に表示する方法をコンピュータに実行させるためのプログラムであって、
上記方法は、
上記婦人の複数の生理周期について生理開始日または排卵推定日を取得するとともに、生理周期に伴って現れる複数種類の症状または行動のうち上記婦人が上記複数の生理周期について日ごとに示した１種類以上の症状または行動を入力する第１ステップと、
上記表示画面上で、日にち順を一方向に伸びる第１の方向に設定し、上記第１ステップによって取得された生理開始日または排卵推定日から予定される次回の生理開始日または排卵推定日を基準日とし、上記基準日から遡った複数日間の長さを少なくとも有し、かつ本日を含む今回の期間について、上記第１ステップによって入力された上記婦人の本日までの症状または行動を日ごとに表示する第１の表示欄と、上記今回の期間よりも前で複数日間の長さを有する過去の期間について、上記第１ステップによって入力された上記婦人の症状または行動を日ごとに表示する第２の表示欄とを、上記第１の方向に対して垂直な第２の方向に並べて表示する第２ステップと、
操作部による操作に応じて、上記表示画面上で、上記第１の表示欄の画像と上記第２の表示欄の画像とを上記第１の方向に沿って相対的にスライドさせる第３ステップと
を有し、
上記第２ステップから上記第３ステップにわたって、上記第１、第２の表示欄に、それぞれその表示欄に含まれた過去または次回の生理開始日または排卵推定日の位置を示す目印を表示することを特徴とする。
【００３１】
この発明のプログラムによれば、次のように、婦人の体温に関連する情報を表示画面に表示する方法をコンピュータに実行させることができる。
【００３２】
すなわち、第１ステップでは、婦人の生理開始日または排卵推定日を複数の生理周期について取得する。これとともに、生理周期に伴って現れる複数種類の症状または行動のうち上記婦人が上記複数の生理周期について日ごとに示した１種類以上の症状または行動を入力する。
【００３３】
第２ステップでは、表示画面上で、日にち順を一方向に伸びる第１の方向に設定する。これとともに、上記表示画面上で、上記起点情報取得部によって取得された生理開始日または排卵推定日から予定される次回の生理開始日または排卵推定日を基準日とし、上記基準日から遡った複数日間の長さを少なくとも有し、かつ本日を含む今回の期間について、上記症状行動入力部によって入力された上記婦人の本日までの症状または行動を日ごとに表示する第１の表示欄と、上記今回の期間よりも前で複数日間の長さを有する過去の期間について、上記症状行動入力部によって入力された上記婦人の症状または行動を日ごとに表示する第２の表示欄とを、上記第１の方向に対して垂直な第２の方向に並べて表示する。また、この第２ステップから次の第３ステップにわたって、上記第１、第２の表示欄に、それぞれその表示欄に含まれた過去または次回の生理開始日または排卵推定日の位置を示す目印を表示する。
【００３４】
第３ステップでは、操作部による操作に応じて、上記表示画面上で、上記第１の表示欄の画像と上記第２の表示欄の画像とを上記第１の方向に沿って相対的にスライドさせる。
【００３５】
このような方法をコンピュータに実行させる場合、ユーザは、上記表示画面上で、上記婦人が上記過去の期間において日ごとに示した症状または行動と、上記婦人が今回の期間において本日までに日ごとに示した症状または行動とを、比較して見ることができる。例えば、ユーザが操作部を操作して、上記表示画面上で、上記第１の表示欄の画像と上記第２の表示欄の画像とを上記第１の方向に沿って相対的にスライドさせて、上記過去の期間における生理開始日（または排卵推定日）と、上記今回の期間における次回の生理開始日（または排卵推定日）とを、上記第１、第２の表示欄に含まれた過去または次回の生理開始日（または排卵推定日）の位置を示す目印を用いて、上記第１の方向に関して同じ位置に揃えるものとする。すると、上記表示画面上に、上記婦人が上記過去の期間において日ごとに示した症状または行動と、上記婦人が今回の期間において本日までに日ごとに示した症状または行動とが、周期を揃えて対比して表示される。これにより、今回の期間において本日以降、次回の生理開始日（または排卵推定日）までの間に、上記婦人がどのような症状または行動を示す傾向があるかが、予想可能となる。したがって、上記婦人は、それらの症状または行動に予め備えておくことができる。このように、このプログラムによって、婦人の体温に関連する情報を表示画面に表示する方法をコンピュータに実行させれば、上記婦人の健康管理をより良く支援できる。また、ユーザは、上記操作部を操作して、上記表示画面上で、上記第１の表示欄の画像と上記第２の表示欄の画像とを上記第１の方向に沿って相対的にスライドさせる際に、例えば上記過去の期間における生理開始日（または排卵推定日）と上記今回の期間における次回の生理予定日（または排卵予定日）とを、上記目印を目安として、上記第１の方向に関して同じ位置に容易に揃えることができる。
【００３６】
一実施形態のプログラムでは、
上記第１の表示欄は、
上記第１の方向に沿って、上記今回の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有し、
上記第２の表示欄は、
上記第１の方向に沿って、上記過去の期間に含まれた日にちを順に示す表頭部と、
上記第２の方向に沿って、上記複数種類の症状または行動の名前を順に示す表側部と、
上記表頭部に示された日にちに上記表側部に示された症状または行動を上記婦人が示したか否かを表す表体部とを有することを特徴とする。
【００３７】
この一実施形態のプログラムによれば、上記婦人が上記今回の期間（本日まで）に日ごとに示した１種類以上の症状または行動が、上記第１の表示欄に表形式で表示される。また、上記婦人が上記過去の期間に日ごとに示した１種類以上の症状または行動が、上記第２の表示欄に表形式で表示される。したがって、ユーザは、上記表示画面上で、上記婦人が上記過去の期間において日ごとに示した症状または行動と、上記婦人が今回の期間において本日までに日ごとに示した症状または行動とを、容易に比較することができる。
【００３８】
一実施形態のプログラムでは、上記目印として、上記第１、第２の表示欄に、それぞれその表示欄に含まれた生理開始日または排卵推定日の位置を通り、上記第２の方向に沿って延びるカーソル線を表示することを特徴とする。
【００３９】
この一実施形態のプログラムによれば、ユーザは、上記操作部を操作して、上記表示画面上で、上記第１の表示欄の画像と上記第２の表示欄の画像とを上記第１の方向に沿って相対的にスライドさせる際に、例えば上記過去の期間における生理開始日（または排卵推定日）と上記今回の期間における次回の生理開始日（または排卵推定日）とを、上記カーソル線を目安として、上記第１の方向に関して同じ位置に容易に揃えることができる。
【００４０】
別の局面では、この発明の婦人体温関連情報表示装置は、
婦人の体温に関連する情報を表示画面に表示する婦人体温関連情報表示装置であって、
上記婦人の複数の生理周期について生理開始日を取得する起点情報取得部と、
上記婦人の上記複数の生理周期について日ごとの基礎体温を取得する基礎体温取得部と、
上記起点情報取得部によって取得された生理開始日に基づいて、上記婦人の上記複数の生理周期について生理周期日数を求める生理周期日数算出部と、
上記複数の生理周期について上記生理周期日数の推移を表すグラフを作成して、上記表示画面上に表示するグラフ作成表示部と、
上記基礎体温取得部によって取得された基礎体温に基づいて、それぞれの上記生理周期における基礎体温平均値を求める平均体温算出部と、
上記表示画面に表示された上記グラフ上で、上記複数の生理周期のうち特定の生理周期を指定するための操作部と、
上記操作部によって特定の生理周期が指定されたとき、上記平均体温算出部によって算出された上記特定の生理周期における上記基礎体温平均値を、上記表示画面上に表示する第１の表示制御部とを備えたことを特徴とする。
【００４１】
本明細書で、「生理開始日を〜取得する」とは、例えば操作部（タッチパネル、キーボード、マウスなど）を介してユーザが生理開始日を直接入力することにより取得することを意味する。ただし、体温計によって測定された婦人の日ごとの基礎体温を例えば通信部（近距離無線通信（Near Field Communication）など）を介して取得し、その基礎体温データに基づいて生理開始日を推定して求めても良い。
【００４２】
この発明の婦人体温関連情報表示装置では、起点情報取得部は、上記婦人の複数の生理周期について生理開始日を取得する。これとともに、基礎体温取得部は、上記婦人の上記複数の生理周期について日ごとの基礎体温を取得する。生理周期日数算出部は、上記起点情報取得部によって取得された生理開始日に基づいて、上記婦人の上記複数の生理周期について生理周期日数を求める。さらに、グラフ作成表示部は、上記複数の生理周期について上記生理周期日数の推移を表すグラフを作成して、上記表示画面上に表示する。一方、平均体温算出部は、上記基礎体温取得部によって取得された基礎体温に基づいて、それぞれの上記生理周期における基礎体温平均値を求める。ユーザ（典型的には、上記婦人を指す。以下同様。）は、操作部を操作して、上記表示画面に表示された上記グラフ上で、上記複数の生理周期のうち特定の生理周期を指定するものとする。第１の表示制御部は、上記操作部によって特定の生理周期が指定されたとき、上記平均体温算出部によって算出された上記特定の生理周期における上記基礎体温平均値を、上記表示画面上に表示する。
【００４３】
このように動作する場合、この婦人体温関連情報表示装置によれば、ユーザは、上記複数の生理周期について生理周期日数の推移を直感的に把握できる。特に、ユーザは、上記操作部を操作して、上記表示画面に表示された上記グラフ上で、上記複数の生理周期のうち特定の生理周期を指定することによって、上記特定の生理周期における上記基礎体温平均値を、上記表示画面上で見ることができる。この結果、上記婦人の健康管理をより良く支援できる。
【００４４】
一実施形態の婦人体温関連情報表示装置では、
上記基礎体温取得部によって取得された基礎体温に基づいて、それぞれの上記生理周期における高温期日数を求める高温期日数算出部と、
上記操作部によって特定の生理周期が指定されたとき、上記高温期日数算出部によって算出された上記特定の生理周期における上記高温期日数を、上記表示画面上に表示する第２の表示制御部とを備えたことを特徴とする。
【００４５】
この一実施形態の婦人体温関連情報表示装置では、高温期日数算出部は、上記基礎体温取得部によって取得された基礎体温に基づいて、それぞれの上記生理周期における高温期日数を求める。第２の表示制御部は、上記操作部によって特定の生理周期が指定されたとき、上記高温期日数算出部によって算出された上記特定の生理周期における上記高温期日数を、上記表示画面上に表示する。この結果、上記婦人の健康管理をより良く支援できる。
【００４６】
一実施形態の婦人体温関連情報表示装置では、
上記基礎体温取得部によって取得された基礎体温に基づいて、それぞれの上記生理周期における高温期の基礎体温平均値と低温期の基礎体温平均値との差を求める高低差算出部と、
上記操作部によって特定の生理周期が指定されたとき、上記高低差算出部によって算出された上記特定の生理周期における上記高温期の基礎体温平均値と低温期の基礎体温平均値との差を、上記表示画面上に表示する第３の表示制御部とを備えたことを特徴とする。
【００４７】
この一実施形態の婦人体温関連情報表示装置では、高低差算出部は、上記基礎体温取得部によって取得された基礎体温に基づいて、それぞれの上記生理周期における高温期の基礎体温平均値と低温期の基礎体温平均値との差を求める。第３の表示制御部は、上記操作部によって特定の生理周期が指定されたとき、上記高低差算出部によって算出された上記特定の生理周期における上記高温期の基礎体温平均値と低温期の基礎体温平均値との差を、上記表示画面上に表示する。この結果、上記婦人の健康管理をより良く支援できる。
【発明の効果】
【００４８】
以上より明らかなように、この発明の婦人体温関連情報表示装置およびプログラムによれば、生理周期で繰り返し出てくる女性特有の症状や行動について、表示画面上で過去の生理周期と今回の生理周期との間で対比できる。したがって、婦人の健康管理をより良く支援できる。
【図面の簡単な説明】
【００４９】
【図１】この発明の婦人体温関連情報表示装置をネットワーク上のシステムとして構成した一実施形態を示すブロック図である。
【図２】上記システムに含まれたスマートフォンの構成を示すブロック図である。
【図３】上記システムに含まれたサーバの構成を示すブロック図である。
【図４】上記システムに含まれた体温計の構成を示すブロック図である。
【図５】上記スマートフォンの表示画面上でユーザが症状を入力するときの表示例を示す図である。
【図６】上記スマートフォンにおいて「くらべるメモ」のモードが選択されたときに、上記スマートフォンの表示画面上に、第１の表示欄と第２の表示欄とが並べて画像として表示された例を示す図である。
【図７】図６の表示画面上で、ユーザが第１の表示欄に対して第２の表示欄をスライドさせて、次回の生理開始日と前回の生理開始日とを揃えたときの表示例を示す図である。
【図８】上記サーバの概略的な動作フローを示す図である。
【図９】上記スマートフォンの入力処理の動作フローを示す図である。
【図１０】上記スマートフォンの「くらべる処理」の動作フローを示す図である。
【図１１】上記スマートフォンに上記サーバの機能を組み込んだときの、上記スマートフォンの動作フローを示す図である。
【図１２】図１のシステムに含まれたスマートフォンにおいて「マイリズム」のモードが選択されたときに、上記スマートフォンの表示画面上に、特定の生理周期における基礎体温平均値（平均体温）とバルーン表示とがなされた例を示す図である。
【図１３】上記「マイリズム」のモードのために、上記サーバが実行する演算のフローを示す図である。
【図１４】上記スマートフォンの「マイリズム処理」の動作フローを示す図である。
【発明を実施するための形態】
【００５０】
以下、この発明の実施の形態を、図面を参照しながら詳細に説明する。
【００５１】
図１は、この発明の婦人体温関連情報表示装置をネットワーク上の一実施形態のシステム（全体を符号１００で示す。）として構成した例を示している。このシステム１００は、スマートフォン２００と、サーバ３００と、体温計４００とを含んでいる。スマートフォン２００と体温計４００とは、ＮＦＣ（Near Field Communication；近距離無線通信）によって互いに通信可能になっている。スマートフォン２００とサーバ３００とは、ネットワーク９００を介して互いに通信可能になっている。
【００５２】
図２に示すように、スマートフォン２００は、本体２００Ｍと、この本体２００Ｍに搭載された、制御部２１０と、メモリ２２０と、操作部２３０と、表示部２４０と、ＮＦＣ通信部２８０と、ネットワーク通信部２９０とを含む。このスマートフォン２００は、市販のスマートフォンに、後述の処理を行わせるようにアプリケーションソフトウェア（コンピュータプログラム）をインストールしたものである。
【００５３】
制御部２１０は、ＣＰＵ（Central Processing Unit；中央演算処理装置）およびその補助回路を含み、スマートフォン２００の各部を制御し、メモリ２２０に記憶されたプログラムおよびデータに従って後述の処理を実行する。すなわち、操作部２３０、および、通信部２８０，２９０から入力されたデータを処理し、処理したデータを、メモリ２２０に記憶させたり、表示部２４０で表示させたり、通信部２８０，２９０から出力させたりする。
【００５４】
メモリ２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、メモリ２２０の記憶領域を補助するための補助記憶装置の記憶媒体として、半導体メモリ（メモリカード、ＳＳＤ（Solid State Drive））などが用いられてもよい。
【００５５】
操作部２３０は、この例では、表示部２４０上に設けられたタッチパネルからなっている。なお、キーボードその他のハードウェア操作デバイスを含んでいても良い。
【００５６】
表示部２４０は、表示画面（例えば、ＬＣＤ（Liquid Crystal Display）またはＥＬ（Electroluminescence）ディスプレイなど）を含む。表示部２４０は、制御部２１０によって制御されて、所定の映像を表示画面に表示させる。
【００５７】
ＮＦＣ通信部２８０は、このスマートフォン２００に体温計４００が接近したとき、体温計４００と近距離無線通信を行って、体温計４００から体温および計測日時を表すデータを受信する。
【００５８】
ネットワーク通信部２９０は、制御部２１０からの情報をネットワーク９００を介して他の装置（この例ではサーバ３００）へ送信するとともに、他の装置からネットワーク９００を介して送信されてきた情報を受信して制御部２１０に受け渡す。
【００５９】
図３に示すように、サーバ３００は、制御部３１０と、記憶部３２０と、操作部３３０と、表示部３４０と、ネットワーク通信部３９０とを含む。このサーバ３００は、汎用のコンピュータ装置に、後述の処理を行わせるようにプログラム（ソフトウェア）をインストールしたものである。
【００６０】
制御部３１０は、ＣＰＵ（Central Processing Unit）およびその補助回路を含み、サーバ３００の各部を制御し、記憶部３２０に記憶されたプログラムおよびデータに従って所定の処理を実行し、操作部３３０、および、通信部３９０から入力されたデータを処理し、処理したデータを、記憶部３２０に記憶させたり、表示部３４０で表示させたり、通信部３９０から出力させたりする。
【００６１】
記憶部３２０は、制御部３１０でプログラムを実行するために必要な作業領域として用いられるＲＡＭ（Random Access Memory）と、制御部３１０で実行するための基本的なプログラムを記憶するためのＲＯＭ（Read Only Memory）とを含む。記憶部３２０には、多くのユーザから送られてきた体温測定データを含むデータベース３２１が設けられている。また、記憶部３２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００６２】
操作部３３０は、この例では、キーボードおよびマウスで構成され、ユーザによる操作を示す操作信号を制御部３１０に入力する。また、操作部３３０は、キーボードおよびマウスに替えて、または、加えて、タッチパネルなどの他の操作デバイスで構成されるようにしてもよい。
【００６３】
表示部３４０は、表示画面（例えば、ＬＣＤ（Liquid Crystal Display）またはＥＬ（Electroluminescence）ディスプレイなど）を含む。表示部３４０は、制御部３１０によって制御されて、所定の映像をディスプレイに表示させる。
【００６４】
ネットワーク通信部３９０は、制御部３１０からの情報をネットワーク９００を介して他の装置（この例ではスマートフォン２００）へ送信するとともに、他の装置からネットワーク９００を介して送信されてきた情報を受信して制御部３１０に受け渡す。
【００６５】
図４に示すように、体温計４００は、この例では市販の婦人用電子体温計（オムロン製ＭＣ−６４２Ｌ）であり、ケーシング４００Ｍと、このケーシング４００Ｍに搭載された、制御部４１０と、メモリ４２０と、センサ部４３０と、表示部４４０と、ＮＦＣ通信部４９０とを含む。
【００６６】
センサ部４３０は、温度センサを含み、婦人の体温を測定して取得する。
【００６７】
メモリ４２０は、体温計４００を制御するためのプログラムのデータ、体温計４００の各種機能を設定するための設定データ、体温測定結果のデータなどを記憶する。この例では、メモリ４２０は、最大４０日分の体温測定データとそれに対応する計測日時とを記憶することができる。また、メモリ４２０は、プログラムが実行されるときのワークメモリなどとして用いられる。
【００６８】
制御部４１０は、ＣＰＵ（Central Processing Unit）を含み、メモリ４２０に記憶された体温計４００を制御するためのプログラムに従って、センサ部４３０からの検知信号に基づいて、メモリ４２０、表示部４４０、および、ＲＦＩＤ通信部４９０を制御する。  表示部４４０は、この例ではＬＣＤ（液晶表示素子）からなる表示画面を含み、この表示画面に制御部４１０から受けた信号に従って所定の情報を表示する。
【００６９】
ＮＦＣ通信部４９０は、この体温計４００がスマートフォン２００に接近したとき、スマートフォン２００と近距離無線通信を行って、スマートフォン２００へ体温および計測日時を表すデータを送信する。この例では、スマートフォン２００からこの体温計４００のための各種設定情報（アラーム（時刻・音量）、ブザー音の設定、バックライト強度の設定など）を受信することもできる。
【００７０】
このシステム１００は、次のように用いられる。
【００７１】
ｉ）  ユーザである婦人が、体温計４００を用いて、複数の生理周期について日ごとに基礎体温を測定する。この例では、測定された基礎体温のデータは、その基礎体温を測定したときの計測日時とともに、体温計４００のメモリ４２０に、最大４０日分記憶される。
【００７２】
婦人が、体温計４００をスマートフォン２００に接近させると、その度に、図９（入力処理）のステップＳ２０１に示すように、スマートフォン２００のＮＦＣ通信部２８０と制御部２１０が基礎体温取得部として働いて、スマートフォン２００は、体温計４００から、婦人の複数の生理周期について日ごとの基礎体温と計測日時を表すデータを取得する。
【００７３】
なお、婦人がＮＦＣ通信部を含まない体温計を用いて体温を測定した場合は、婦人は、スマートフォン２００の操作部２３０を操作して、基礎体温と計測日時を表すデータを手入力することもできる。
【００７４】
ii）  また、図９のステップＳ２０２に示すように、婦人は、スマートフォン２００の操作部２３０を症状行動入力部として用いて、生理周期に伴って現れる複数種類の症状または行動のうち婦人が複数の生理周期について日ごとに示した１種類以上の症状または行動を入力する。
【００７５】
この入力のために、スマートフォン２００の表示部２４０の表示画面７０には、操作部２３０に対する操作に応じて、図５に示すような画像が表示される。この図５の画像は、或る日（以下「この日」と呼ぶ。）の日付（この例では２０１１／１２／２２（２０１１年１２月２２日））を示す欄５１と、前回生理開始日からこの日までの日数（この例では１４日目）を示す欄５２と、この日の基礎体温が測定された時刻（この例では７：４５（午前７時４５分））とその測定された基礎体温（この例では３６．２５℃）を示す欄５３と、メモ（症状または行動を示すアイコンマーク）が表示されるべきメモ欄５４と、婦人が選択すべき症状または行動を示すアイコンを表示するアイコン欄５５と、この日を生理開始日として入力するための「生理が来た」ボタン５６とが表示されている。
【００７６】
欄５１の左右には、表示される「この日」を１日ずつ過去へ遡らせるためのキー５１ａと、「この日」を１日ずつ将来へ順送りするためのキー５１ｂとが表示されている。ユーザである婦人は、これらのキー５１ａ，５１ｂを操作することで、症状または行動を入力すべき「この日」を選択（設定）することができる。
【００７７】
アイコン欄５５には、婦人は症状または行動を示す６個のアイコンが予め表示されている。すなわち、この例では、欄５５には、基本的な症状または行動として、おりものがあったことを示すアイコン５５ａと、薬を服用したことを示すアイコン５５ｂと、性交があったことを示すアイコン５５ｃと、不正出血があったことを示すアイコン５５ｄとが表示されている。また、特別の症状として、発熱があったことを示すアイコン５５ｅと、生理痛があったことを示すアイコン５５ｆとが表示されている。ユーザである婦人が、「この日」について、表示画面７０上でいずれかのアイコンを選択して押すと、表示画面７０上のタッチパネルが操作部２３０として働いて、その選択されたアイコンと同じ形態をもつアイコンマークがメモ欄５４に取り込まれて表示される。これにより、婦人が「この日」にメモ欄５４に表示されたアイコンマークに対応する症状または行動を示したことが入力される。つまり、或るアイコンマークがメモ欄５４に取り込まれると、婦人がそのアイコンマーク（つまりアイコン）に相当する症状または行動を示した事実として入力（記録）されるのである。
【００７８】
なお、このアイコン欄５５には、図中の６個のアイコン５５ａ，５５ｂ，…，５５ｆに代えて、例えば図６中の下欄７４に表示されているアイコンマーク６５ｇ，６５ｈ，６５ｉ，６５ｊに対応するアイコンを表示することもできる。アイコンマーク６５ｇは痛みがあったことを示し、アイコンマーク６５ｈは胸の張りがあったことを示し、アイコンマーク６５ｉはいらいらがあったことを示し、アイコンマーク６５ｊは気分の落ち込みがあったことを示している。
【００７９】
iii）  また、図９のステップＳ２０３に示すように、婦人は、スマートフォン２００の操作部２３０を起点情報取得部として用いて、複数の生理周期について生理開始日を起点情報として入力する。
【００８０】
具体的には、表示部２４０の表示画面７０に図５の画像が表示されているときに、ユーザである婦人が、表示画面７０上で「生理が来た」ボタン５６を押すと、表示画面７０上のタッチパネルが操作部２３０として働いて、欄５１に表示されている日（この例では２０１１年１２月２２日）が婦人の生理開始日として入力される。
【００８１】
なお、スマートフォン２００の制御部２１０が起点情報取得部として働いて、図９のステップＳ２０１によって取得された基礎体温に基づいて、婦人の過去の生理開始日または排卵推定日を公知の手法によって推定して取得しても良い。そのようにした場合、ユーザである婦人は、過去の生理開始日または排卵推定日を、操作部２３０を介して入力する必要がなく、入力の手間が省ける。
【００８２】
iv）  また、図９のステップＳ２０４に示すように、婦人は、スマートフォン２００の操作部２３０を用いて、その他の情報を入力する。「その他の情報」とは、例えば現在の日時を設定するための情報や、サーバ３００に対する新規ユーザ登録のための情報や、体温計４００の型番を表す情報などを指す。
【００８３】
なお、図９のステップＳ２０１〜Ｓ２０３の入力は、ユーザである婦人が毎日行っても良いし、この例では最大４０日以内で婦人が気付いた都度行っても良い。また、図９のＳ２０１〜Ｓ２０４の各ステップは、この順に限られず、いずれを先に行っても良い。
【００８４】
ｖ）  図９のステップＳ２０１〜Ｓ２０４によって入力処理を行った後、ユーザである婦人は、スマートフォン２００の操作部２３０を操作して、入力された各種情報をネットワーク通信部２９０からネットワーク９００を介してサーバ３００へ送信させる。
【００８５】
vi）  サーバ３００は、図８のステップＳ１０１に示すように、ネットワーク９００を介してスマートフォン２００からのデータが送られてくるのを待っている。サーバ３００は、ネットワーク９００からネットワーク通信部３９０を介して、スマートフォン２００からのデータを受信すると（ステップＳ１０１でＹＥＳ）、受信したデータを記憶部３２０に記憶する（図８のステップＳ１０２）。
【００８６】
vii）  次に、サーバ３００は、演算および画像データ作成を行う（図８のステップＳ１０３）。すなわち、サーバ３００の制御部３１０が表示欄作成表示部の一部として働いて、記憶部３２０に記憶されたスマートフォン２００からのデータを用いて、スマートフォン２００の表示部２４０に表示されるべき画像のデータを作成する（この画像については後述する。）。そして、作成した画像データをデータベース３２１に記憶するとともに、ネットワーク通信部３９０からネットワーク９００を介して、スマートフォン２００へ送信する（図８のステップＳ１０４）。
【００８７】
viii）  スマートフォン２００は、上記画像データをネットワーク９００からネットワーク通信部２９０を介して受信して、メモリ２２０に記憶する。ここで、ユーザである婦人が、スマートフォン２００の操作部２３０を操作して、「くらべるメモ」のモードを選択するものとする。すると、スマートフォン２００の制御部２１０が表示欄作成表示部の一部として働いて、図１０に示す「くらべる処理」の動作を実行する。
【００８８】
具体的には、図１０のステップＳ３０１で、メモリ２２０に記憶されている画像データを用いて、表示部２４０の表示画面７０に、図６に示すように、上から順に、第１の表示欄７１と第２の表示欄７４とを画像として表示する。
【００８９】
第１の表示欄７１は、上から順に、基礎体温グラフ表示欄７２と、症状行動表示欄７３とを含んでいる。
【００９０】
症状行動表示欄７３は、第１の方向としての横方向に一方向に延びる表頭部７３ａと、第２の方向としての縦方向に延びる表側部７３ｂと、表体部７３ｃとを有している。
【００９１】
表頭部７３ａは、左から右へ、日にちを順に示している。この表頭部７３ａには、表頭部７３ａに示された日にちの年月（この例では２０１２／０９（２０１２年９月））７３ｄが併せて表示されている。この例では、表頭部７３ａには、２０１２年８月１０日から２０１２年９月６日までの２９日間（ただし、左端の３日間は表側部７３ｂによって占められているため、実質的には、２０１２年８月１３日から２０１２年９月６日までの２６日間）が、「今回の期間」として設定されている。
【００９２】
この「今回の期間」は、制御部２１０が、次のようにして設定する。まず、既述の入力処理（特に、図９のステップＳ２０３）で入力された婦人の生理開始日から予定される次回の生理開始日（この例では２０１２年９月３日）を基準日とする。なお、次回の生理開始日（予定日）は、例えば前回の生理開始日または排卵推定日に標準的な生理周期である２８日を加算して算出する。次に、この基準日から遡った複数日間の長さを少なくとも有し、かつ本日（この例では２０１２年８月２８日）を含むように、「今回の期間」を設定する。
【００９３】
表側部７３ｂは、縦方向に沿って、複数種類（この例では６種類）の症状または行動の名前を順に示している。この例では、上から下へ順に、症状または行動の名前として、「おりもの」、服薬を意味する「くすり」、「痛み」、「胸のはり」、「いらいら」、気分の「落ち込み」が表示されている。この表側部７３ｂに表示された症状または行動の名前は、既述の入力処理（特に、図９のステップＳ２０２）で、図５中のアイコン欄５５に表示されたアイコンに対応している。
【００９４】
表体部７３ｃは、表頭部７３ａに示された日にちについて、既述の入力処理（特に、図９のステップＳ２０２）で入力された婦人の症状または行動を、アイコンマークを用いて日ごとに表示する。図６の例では、２０１２年８月１９日、２０日に対応するアイコンマーク６５ａによって、それらの日にちに「おりもの」があったことが表示されている。また、２０１２年８月２０日に対応するアイコンマーク６５ｂによって、その日にちに服薬をしたことが表示されている。また、２０１２年８月２５日、２６日に対応するアイコンマーク６５ｉによって、それらの日にちに「いらいら」があったことが表示されている。さらに、２０１２年８月２７日に対応するアイコンマーク６５ｉによって、その日にちに気分の「落ち込み」があったことが表示されている。
【００９５】
基礎体温グラフ表示欄７２には、体温座標をなすように、横方向に延びる黒色の破線からなる５本の罫線７２ａ，７２ｂ，７２ｃ，７２ｄ，７２ｅが表示されている。これらの罫線７２ａ，７２ｂ，７２ｃ，７２ｄ，７２ｅは、上から順に、それぞれ３７．５０℃，３７．００℃，３６．５０℃，３６．００℃，３５．５０℃を表している。なお、３本の罫線７２ａ，７２ｃ，７２ｅのみの左端にその罫線に対応する温度が表示され、簡素化のために、残りの罫線７２ｂ，７２ｄについての温度表示は省略されている。
【００９６】
この基礎体温グラフ表示欄７２には、既述の入力処理（特に、図９のステップＳ２０１）で入力された今回の期間（実質的には２０１２年８月１０日から本日まで）に対応する日ごとの婦人の基礎体温が、赤色の折れ線グラフ７５として表示されている。したがって、ユーザである婦人は、この表示欄７２に日ごとに表示された婦人の症状または行動とグラフ表示された基礎体温の変化との関係を直感的に把握できる。
【００９７】
なお、赤色の折れ線グラフ７５は、基礎体温が日ごとに連続して入力された期間については実線で表され、基礎体温が孤立して入力された期間については破線で表されている。
【００９８】
この基礎体温グラフ表示欄７２では、本日（この例では２０１２年８月２８日）の基礎体温のデータは、比較的大きい丸印７５ａで表示されている。本日の基礎体温のデータを示す丸印７５ａの付近には、バルーン表示７６によって、本日の基礎体温の値（この例では３６．７６℃）と前回の生理開始日からの経過日数（この例では「２６日め」）とが表示されている。
【００９９】
第１の表示欄７１の基礎体温グラフ表示欄７２、症状行動表示欄７３には、それぞれ、次回の生理開始日（この例では２０１２年９月３日）の位置を通り、縦方向に沿って延びる赤色の破線からなるカーソル線７２ｆ，７３ｆが表示されている。これらのカーソル線７２ｆ，７３ｆには、生理開始日であることを示す赤色の三日月マーク７８が併せて表示されている。また、第１の表示欄７１の基礎体温グラフ表示欄７２、症状行動表示欄７３には、それぞれ、前回の排卵推定日（この例では２０１２年８月２１日）の位置を通り、縦方向に沿って延びる黄色の実線からなるカーソル線７２ｇ，７３ｇが表示されている。これらのカーソル線７２ｇ，７３ｇには、排卵推定日であることを示す黄色の卵マーク７７が併せて表示されている。
【０１００】
第２の表示欄７４は、この例では基礎体温グラフ表示欄を含まず、症状行動表示欄のみからなっている。すなわち、第２の表示欄７４は、横方向に一方向に延びる表頭部７４ａと、縦方向に延びる表側部７４ｂと、表体部７４ｃとを有している。
【０１０１】
表頭部７４ａは、上述の第１の表示欄７１（の症状行動表示欄７３）の表頭部７３ａと同様に、左から右へ、日にちを順に示している。この表頭部７４ａには、表頭部７４ａに示された日にちの年月（この例では２０１２／０８（２０１２年８月））７４ｄが併せて表示されている。この例では、表頭部７４ａには、２０１２年７月２８日から２０１２年８月２５日までの２９日間（ただし、左端の３日間は表側部７４ｂによって占められているため、実質的には、２０１２年８月３１日から２０１２年８月２５日までの２６日間）が、「過去の期間」として設定されている。
【０１０２】
この「過去の期間」は、制御部２１０が、第１の表示欄７１における「今回の期間」よりも前で、かつ「今回の期間」と同じ長さを有するように設定する。
【０１０３】
表側部７４ｂは、縦方向に沿って、上述の第１の表示欄７１（の症状行動表示欄７３）の表頭部７３ｂに表示された複数種類（この例では６種類）の症状または行動の名前と同じ名前を順に示している。すなわち、上から下へ順に、症状または行動の名前として、「おりもの」、服薬を意味する「くすり」、「痛み」、「胸のはり」、「いらいら」、気分の「落ち込み」が表示されている。
【０１０４】
表体部７４ｃは、表頭部７４ａに示された日にちについて、既述の入力処理（特に、図９のステップＳ２０２）で入力された婦人の症状または行動を、アイコンマークを用いて日ごとに表示する。図６の例では、２０１２年７月３１日、同年８月１日、１９日、２０日に対応するアイコンマーク６５ａによって、それらの日にちに「おりもの」があったことが表示されている。また、２０１２年７月３１日、同年８月２０日に対応するアイコンマーク６５ｂによって、それらの日にちに服薬をしたことが表示されている。また、２０１２年７月３１日に対応するアイコンマーク６５ｇによって、その日にちに痛みがあったことが表示されている。また、２０１２年７月３１日、同年８月１日に対応するアイコンマーク６５ｈによって、それらの日にちに胸のはりがあったことが表示されている。また、２０１２年７月３１日、同年８月２５日に対応するアイコンマーク６５ｉによって、それらの日にちに「いらいら」があったことが表示されている。さらに、２０１２年２０１２年７月３１日に対応するアイコンマーク６５ｉによって、その日にちに気分の「落ち込み」があったことが表示されている。
【０１０５】
第２の表示欄７４には、前回の生理開始日（この例では２０１２年８月３１日）の位置を通り、縦方向に沿って延びる赤色の実線からなるカーソル線７４ｆ′が表示されている。また、第２の表示欄７４には、前回の排卵推定日（この例では２０１２年８月２１日）の位置を通り、縦方向に沿って延びる黄色の実線からなるカーソル線７４ｇが表示されている。
【０１０６】
なお、カーソル線７２ｆ，７３ｆ，７４ｆ′および三日月マーク７８の赤色は、血の色であるから、生理開始日を連想させ易い。カーソル線７２ｇ，７３ｇ，７４ｇおよび卵マーク７７の黄色は、卵の黄身の色であるから、排卵推定日を連想させ易い。したがって、ユーザである婦人は、表示画面７０上に表示されたカーソル線７２ｆ，７３ｆ，７４ｆ′，７２ｇ，７３ｇ，７４ｇが生理開始日または排卵推定日のいずれに対応するかを、互いに区別して、容易に把握することができる。
【０１０７】
また、複数のカーソル線のうちカーソル線７２ｇ，７３ｇ，７４ｆ′，７４ｇが実線からなるのに対して、カーソル線７２ｆ，７３ｆが破線からなっている理由は、前者が確定した日を示すのに対して、後者が予定日を示すからである。
【０１０８】
このように画像が表示される場合、ユーザである婦人は、表示画面７０上で、婦人が過去の期間において日ごとに示した症状または行動と、婦人が今回の期間において本日までに日ごとに示した症状または行動とを、比較して見ることができる。
【０１０９】
この実施形態では、サーバ３００の制御部３１０が、図６中の第１の表示欄７１の画像を、「今回の期間」から遡って５生理周期分に拡張したものに相当する画像のデータを作成する。スマートフォン２００の制御部２１０がその画像のデータから、「今回の期間」に相当する画像を選択して第１の表示欄７１に表示するとともに、「過去の期間」に相当する画像（基礎体温グラフ表示欄を除く。）を選択して第２の表示欄７４に表示する。なお、サーバ３００の制御部３１０は画像作成のためのデータのみを提供し、スマートフォン２００の制御部２１０が専ら画像を作成しても良い。
【０１１０】
第２の表示欄７４は、この例では基礎体温グラフ表示欄を含まず、症状行動表示欄のみからなっているが、第１の表示欄７１と同様に、基礎体温グラフ表示欄と症状行動表示欄との両方を含んでいても良い。
【０１１１】
ix）  表示部２４０の表示画面７０に図６に示す画像が表示された状態で、図１０のステップＳ３０２に示すように、スマートフォン２００の制御部２１０は、スライド操作を待つ。ここで、ユーザである婦人が操作部２３０を操作して（ステップＳ３０２でＹＥＳ）、この例では第２の表示欄７４上でタッチパネルに沿って指を右方向へスライドさせるものとする。すると、制御部２１０は、操作部２３０による操作に応じて、表示画面７０上で、第１の表示欄７１の画像に対して第２の表示欄７４の画像を右方向へ相対的にスライドさせる（図１０のステップＳ３０３）。
【０１１２】
この例では、婦人が、表示画面７０上で、第２の表示欄７４の画像を右方向へスライドさせて、図７に示すように、過去の期間における生理開始日（この例では２０１２年８月１日）と、今回の期間における次回の生理開始日（この例では２０１２年９月３日）とを、赤色のカーソル線７３ｆ，７４ｆを目安として、横方向に関して同じ位置に揃えるものとする。すると、第２の表示欄７４の画像がスクロールされて、表示画面７０上に、婦人が過去の期間において日ごとに示した症状または行動と、婦人が今回の期間において本日までに日ごとに示した症状または行動とが、周期を揃えて対比して表示される。
【０１１３】
特に、この例では、婦人が今回の期間（本日まで）に日ごとに示した１種類以上の症状または行動が、第１の表示欄７１（の症状行動表示欄７３）にアイコンマークを用いた表形式で表示される。また、婦人が過去の期間に日ごとに示した１種類以上の症状または行動が、第２の表示欄７４にアイコンマークを用いた表形式で表示される。したがって、ユーザである婦人は、表示画面７０上で、婦人が過去の期間において日ごとに示した症状または行動と、婦人が今回の期間において本日までに日ごとに示した症状または行動とを、生理開始日を基準として、容易に比較することができる。
【０１１４】
これにより、今回の期間において本日（この例では２０１２年８月２８日）以降、次回の生理開始日（この例では２０１２年９月３日）までの間に、婦人がどのような症状または行動を示す傾向があるかが、予想可能となる。この例では、本日から次回の生理開始日の前日（この例では２０１２年９月２日）まで、気分の落ち込みといらいらの症状が現れることが予想される。また、明日（この例では２０１２年８月２９日）から次回の生理開始日の前日（この例では２０１２年９月２日）まで、胸のはりの症状が現れることが予想される。したがって、婦人は、それらの症状（または行動）に予め備えておくことができる。このようにして、この婦人体温関連情報表示装置によれば、婦人の健康管理をより良く支援できる。
【０１１５】
上の例では、表示画面７０上で、第２の表示欄７４の画像を右方向へスライドさせるものとしたが、これに限られるものではなく、第２の表示欄７４の画像を左方向へスライド（スクロール）させることもできる。また、第１の表示欄７１の画像も、右方向へまたは左方向へスライド（スクロール）させても良い。要するに、第１の表示欄７１の画像と第２の表示欄７４の画像を左右方向へ相対的にスライドさせることができれば、表示画面７０上に、婦人が過去の期間において日ごとに示した症状または行動と、婦人が今回の期間において本日までに日ごとに示した症状または行動とを、周期を揃えて対比して表示させることができる。
【０１１６】
既述のように、第１の表示欄７１（の症状行動表示欄７３）に、次回の生理開始日の位置を通るカーソル線７３ｆと、前回の排卵推定日の位置を通るカーソル線７３ｇとの両方が表示されている。また、第２の表示欄７４に、前回の生理開始日の位置を通るカーソル線７４ｆと、前々回の排卵推定日（この例では２０１２年７月１６日）の位置を通るカーソル線７４ｇとの両方が表示されている。ここで、この例では、生理開始日の位置を通るカーソル線７３ｆ，７４ｆが赤色で表される一方、排卵推定日の位置を通るにカーソル線７３ｇ，７４ｇが黄色で表され、両者が色で区別して表示されている。しかも、生理開始日の位置を通るカーソル線７３ｆには、赤色の三日月マーク７８が併せて表示されている。また、排卵推定日の位置を通るカーソル線７３ｇには、黄色の卵マーク７７が併せて表示されている。したがって、生理開始日の位置を通るカーソル線７３ｆ，７４ｆと排卵推定日の位置を通るにカーソル線７３ｇ，７４ｇとの間の区別が容易になる。この結果、ユーザである婦人は、過去の期間における生理開始日と、今回の期間における次回の生理開始日とを、赤色のカーソル線７３ｆ，７４ｆを目安として、横方向に関して同じ位置に容易に揃えることができる。
【０１１７】
なお、表示部２４０の表示画面７０に例えば図７に示す画像が表示された状態で、ユーザである婦人は、過去の期間における排卵推定日と、今回の期間における排卵推定日とを、黄色のカーソル線７３ｇ，７４ｇを目安として、横方向に関して同じ位置に揃えても良い。そのようにした場合、表示画面７０上で、婦人が過去の期間において日ごとに示した症状または行動と、婦人が今回の期間において本日までに日ごとに示した症状または行動とを、排卵推定日を基準として、容易に比較することができる。
【０１１８】
「くらべるメモ」のモードで表示部２４０の表示画面７０に表示される「今回の期間」、「過去の期間」の「長さ」は、婦人が示した症状または行動の傾向を表すために少なくとも３日間であるのが望ましい。さらに、多くの人の標準的な生活のサイクルである７日間よりも長いのが望ましい。さらに、標準的な生理周期の半分である１４日間よりも長いのが望ましい。さらに、標準的な生理周期である２８日間よりも長いのが望ましい。
【０１１９】
表示部２４０の表示画面７０に図６に示す画像が表示された状態で、一定時間（例えば１０秒間）スライド操作が行われなかったとき（図１０のステップＳ３０２でＮＯ）は、節電のために、制御部２１０は画像をオフする（図１０のステップＳ３０４）。
【０１２０】
この実施形態では、ユーザである婦人が入力した生理開始日を起点情報として用いたが、これに限られるものではない。排卵推定日を起点情報として用い、第１の表示欄７１に表示される「今回の期間」の基準日を排卵推定日としても良い。排卵推定日を取得するためには、図９のステップＳ２０１によって取得された基礎体温に基づいて、公知の手法によって排卵推定日を推定して求めれば良い。
【０１２１】
図６、図７の例では、表示部２４０の表示画面７０において、日にち順を横方向に設定し、第１の表示欄７１と第２の表示欄７４とを縦方向に並べて表示したが、これに限られるものではない。例えば日にち順を上から順に縦方向に設定し、第１の表示欄７１と第２の表示欄７４とを横方向に並べて表示しても良い。
【０１２２】
また、この実施形態では、本発明の婦人体温関連情報表示装置を、スマートフォン２００と、サーバ３００と、体温計４００とを含むネットワーク上のシステム１００として構成したが、これに限られるものではない。
【０１２３】
例えば、本発明の婦人体温関連情報表示装置を、体温計４００とスマートフォン２００のみで構成しても良い。つまり、スマートフォン２００の制御部２１０、メモリ２２０、操作部２３０、表示部２４０、ネットワーク通信部２９０が、それぞれそれらの機能に加えて、サーバ３００の制御部３１０、記憶部３２０、操作部３３０、表示部３４０、ネットワーク通信部３９０の機能を果たすものとする。この場合、スマートフォン２００のメモリ２２０には、制御部２１０に、次のような、婦人の体温に関連する情報を表示画面に表示する方法を実行させるプログラムをインストールする。これにより、本発明の婦人体温関連情報表示装置を小型かつコンパクトに構成することができる。
【０１２４】
その方法は、大別して、図１１に示すように３つのステップを有する。
【０１２５】
図１１の第１ステップＳ４０１では、婦人の複数の生理周期について生理開始日または排卵推定日を取得する。これとともに、生理周期に伴って現れる複数種類の症状または行動のうち婦人が複数の生理周期について日ごとに示した１種類以上の症状または行動を入力する。この第１ステップＳ４０１は、図８中のステップＳ１０３に相当する。
【０１２６】
第２ステップＳ４０２では、表示画面７０上で、日にち順を一方向に伸びる第１の方向に設定する。これとともに、表示画面７０上で、第１の表示欄７１（の症状行動表示欄７３）と第２の表示欄７４とを、第１の方向に対して垂直な第２の方向に並べて表示する。第１の表示欄７１（の症状行動表示欄７３）は、第１ステップによって取得された生理開始日または排卵推定日から予定される次回の生理開始日または排卵推定日を基準日とし、基準日から遡った複数日間の長さを少なくとも有し、かつ本日を含む今回の期間について、第１ステップによって入力された婦人の本日までの症状または行動を日ごとに表示する。第２の表示欄７４は、今回の期間よりも前で複数日間の長さを有する過去の期間について、第１ステップによって入力された婦人の症状または行動を日ごとに表示する。この第２ステップＳ４０２は、図１０中のステップＳ３０１に相当する。
【０１２７】
第３ステップＳ４０３では、操作部２３０による操作に応じて、表示画面７０上で、第１の表示欄７１の画像と第２の表示欄７４の画像とを第１の方向に沿って相対的にスライドさせる。この第３ステップＳ４０３は、図１０中のステップＳ３０２〜Ｓ３０３に相当する。
【０１２８】
このような方法をコンピュータに実行させる場合、ユーザは、表示画面７０上で、婦人が過去の期間において日ごとに示した症状または行動と、婦人が今回の期間において本日までに日ごとに示した症状または行動とを、比較して見ることができる。例えば、ユーザが操作部を操作して、表示画面７０上で、第１の表示欄７１の画像と第２の表示欄７４の画像とを第１の方向に沿って相対的にスライドさせて、過去の期間における生理開始日（または排卵推定日）と、今回の期間における次回の生理開始日（または排卵推定日）とを、第１の方向に関して同じ位置に揃えるものとする。すると、表示画面７０上に、婦人が過去の期間において日ごとに示した症状または行動と、婦人が今回の期間において本日までに日ごとに示した症状または行動とが、周期を揃えて対比して表示される。これにより、今回の期間において本日以降、次回の生理開始日（または排卵推定日）までの間に、婦人がどのような症状または行動を示す傾向があるかが、予想可能となる。したがって、婦人は、それらの症状または行動に予め備えておくことができる。
【０１２９】
このように、このプログラムによって、制御部２１０に、婦人の体温に関連する情報を表示画面に表示する方法を実行させれば、上記婦人の健康管理をより良く支援できる。
【０１３０】
このプログラムは、アプリケーションソフトウェアとして、ＣＤ、ＤＶＤ、フラッシュメモリなどの記録媒体に記録することができる。この記録媒体に記録されたアプリケーションソフトウェアを、スマートフォン、パーソナルコンピュータ、ＰＤＡ（パーソナル・デジタル・アシスタンツ）などの実質的なコンピュータ装置にインストールすることによって、それらのコンピュータ装置に、婦人の体温に関連する情報を表示画面に表示する方法を実行させることができる。
【０１３１】
なお、このようなスマートフォン（サーバ３００の機能を組み込んだもの）に、さらに体温計４００のセンサ部４３０を組み込むことにより、本発明の婦人体温関連情報表示装置を、実質的にスマートフォンのみで構成しても良い。
【０１３２】
また、これらの各タイプのスマートフォン（サーバ３００の機能を組み込んだもの、さらに体温計４００のセンサ部４３０を組み込んだもの）に代えて、各タイプのスマートフォンと同じ構成要素と機能を有するノート型パーソナルコンピュータまたは携帯電話を用いて、本発明の婦人体温関連情報表示装置を構成しても良い。
【０１３３】
図１２は、システム１００において、ユーザである婦人が、スマートフォン２００の操作部２３０を操作して、「マイリズム」のモードを選択した場合に、スマートフォン２００の表示部２４０の表示画面７０に、画像として表示される例を示している。
【０１３４】
この図１２の画像は、上から順に、婦人の特定された生理周期の期間を表示する周期表示欄８９と、その特定された生理周期について基礎体温平均値（平均体温）を表示する平均体温表示欄８１と、複数の生理周期（この例では、周期表示欄８９で特定された生理周期を基準とし、その生理周期から遡った６生理周期）について生理周期日数の推移を表すグラフを表示する生理周期日数グラフ表示欄８２と、上記複数の生理周期についてそれぞれ基礎体温が安定であったか否かの判定結果を示す判定結果表示欄８３とを含んでいる。
【０１３５】
周期表示欄８９には、この例では生理周期日数グラフ表示欄８２中のカーソル８５によって特定された生理周期として２０１１／１１／２２−１２／２０（２０１１年１１月２２日から同年１２月２０日まで）が表示されている。この周期表示欄８９には、特定された生理周期を前周期へ遡らせるためのキー８９ａと、特定された生理周期を次周期へ順送りするためのキー８９ｂとが併せて表示されている。
【０１３６】
平均体温表示欄８１には、上記特定された生理周期における基礎体温平均値がこの例では「平均体温  ３６．２５℃」８１ｂとして表示されている。また、この平均体温表示欄８１には、上記特定された生理周期について基礎体温が安定であったか否かの判定結果を示すマーク（この例では安定であったことを示す。）８３ａと、その判定結果に応じたコメント（この例では、「今回の周期では、高温期、低音期が安定していてよいホルモンバランスのようです。」）８１ｃとが併せて表示されている。
【０１３７】
生理周期日数グラフ表示欄８２には、日数（周期）座標をなすように、横方向に延びる黒色の実線からなる４本の罫線８２ａ，８２ｂ，８２ｃ，８２ｄが表示されている。これらの罫線８２ａ，８２ｂ，８２ｃ，８２ｄは、上から順に、それぞれ５０日、４０日、３０日、２０日を表している。なお、生理周期日数の目安となるように、３８日と２５日のところに、横方向に延びる赤色の実線８７，８８が表示されている。
【０１３８】
この生理周期日数グラフ表示欄８２には、上記複数の生理周期について生理周期日数の推移を表す赤色の折れ線グラフ８４が表示されている。したがって、ユーザである婦人は、複数の生理周期について生理周期日数の推移を直感的に把握できる。
【０１３９】
また、この生理周期日数グラフ表示欄８２には、上記複数の生理周期のうち特定の生理周期を指定するための幅広のカーソル８５が表示されている。
【０１４０】
判定結果表示欄８３には、上記複数の生理周期についてそれぞれ基礎体温が安定であったか否かの判定結果を示すマーク８３ａ，８３ｂが表示されている。マーク８３ａは基礎体温が安定であったことを表す一方、マーク８３ｂは基礎体温が不安定であったことを表す。
【０１４１】
なお、ユーザである夫人は、表示欄８２または８３上でタッチパネルに沿って指を左方向または右方向へスライドさせることによって、これらの表示欄８２または８３に表示されている複数の生理周期を前周期の向きへ遡らせたり、次周期の向きへ順送りにしたりすることができる。
【０１４２】
この図１２の画像をスマートフォン２００の表示部２４０に表示させるために、サーバ３００の制御部３１０は、図８中のステップＳ１０３において、図１３のフローに示す演算を実行する。
【０１４３】
すなわち、図１３のステップＳ５０１では、制御部３１０が生理周期日数算出部として働いて、既述の入力処理（特に、図９のステップＳ２０３）で入力された婦人の生理開始日に基づいて、上記複数の生理周期について生理周期日数を算出して求める。
【０１４４】
次に、図１３のステップＳ５０２では、制御部３１０がグラフ作成表示部の一部として働いて、上記複数の生理周期について生理周期日数の推移を表すグラフを作成する。
【０１４５】
次に、図１３のステップＳ５０３では、制御部３１０が平均体温算出部として働いて、既述の入力処理（特に、図９のステップＳ２０１）で入力された日ごとの基礎体温に基づいて、それぞれの生理周期における基礎体温平均値（平均体温）を算出して求める。
【０１４６】
次に、図１３のステップＳ５０４では、制御部３１０が高温期日数算出部として働いて、既述の入力処理（特に、図９のステップＳ２０１）で入力された日ごとの基礎体温に基づいて、それぞれの生理周期における高温期日数を算出して求める。
【０１４７】
次に、図１３のステップＳ５０５では、制御部３１０が高低差算出部として働いて、既述の入力処理（特に、図９のステップＳ２０１）で入力された日ごとの基礎体温に基づいて、それぞれの生理周期における高温期の基礎体温平均値と低温期の基礎体温平均値との差（高低差）を求める。
【０１４８】
次に、図１３のステップＳ５０６では、制御部３１０が判定部として働いて、既述の入力処理（特に、図９のステップＳ２０１）で入力された日ごとの基礎体温に基づいて、それぞれの生理周期について基礎体温が安定であったか否かの判定結果を求める。
【０１４９】
これらの演算結果は、サーバ３００のネットワーク通信部３９０からネットワーク９００を介して、スマートフォン２００へ送信される（図８のステップＳ１０４）。
【０１５０】
なお、図１３のＳ５０１〜Ｓ５０３の各ステップは、この順に限られず、いずれを先に行っても良い。
【０１５１】
システム１００において、ユーザである婦人が、スマートフォン２００の操作部２３０を操作して、「マイリズム」のモードを選択した場合に、スマートフォン２００の制御部３１０がグラフ作成表示部の一部として働いて、表示部２４０の表示画面７０に図１２に示した画像を表示する。特に、図１４のステップＳ６０１に示すように、生理周期日数グラフ表示欄８２には、複数の生理周期について生理周期日数の推移を表す赤色の折れ線グラフ８４を表示する。この折れ線グラフ８４は、既述の演算（特に、図１３のステップＳ５０２）によって作成されたものである。
【０１５２】
スマートフォン２００の表示部２４０の表示画面７０にこの生理周期日数の推移を表すグラフ８４が表示された状態で、図１４のステップＳ６０２に示すように、スマートフォン２００の制御部２１０は、特定の生理周期の指定を待つ。ここで、ユーザである婦人が操作部２３０を操作して（ステップＳ６０２でＹＥＳ）、この例では生理周期日数グラフ表示欄８２上でタッチパネルに沿って指をスライドさせて、この例では右から２番目の生理周期に幅広のカーソル８５を合わせるものとする（生理周期の特定）。
【０１５３】
すると、図１４のステップＳ６０３に示すように、制御部２１０が第１の表示制御部として働いて、操作部２３０による操作に応じて、表示画面７０上で、平均体温表示欄８１ｂに、その特定された上記特定された生理周期における基礎体温平均値（この例では「３６．２５℃」）を表示する。この基礎体温平均値は、既述の演算（特に、図１３のステップＳ５０３）によって求められたものである。これにより、ユーザである婦人は、上記特定の生理周期における基礎体温平均値を、表示画面７０上で見ることができる。
【０１５４】
これとともに、平均体温表示欄８１ｂには、上記特定された生理周期について基礎体温が安定であったか否かの判定結果を示すマーク（この例では安定であったことを示す。）８３ａと、その判定結果に応じたコメント（この例では、「今回の周期では、高温期、低音期が安定していてよいホルモンバランスのようです。」）８１ｃとが併せて表示される。
【０１５５】
それに加えて、制御部２１０が第２および第３の表示制御部として働いて、生理周期日数グラフ表示欄８２の上記特定された生理周期のところに、バルーン表示８６を行う。このバルーン表示８６には、上記特定された生理周期における高温期日数（この例では「高温期  １３日」という表示）と、上記特定された生理周期における高温期の基礎体温平均値と低温期の基礎体温平均値との差（この例では「高低差  ０．３５℃」という表示）とが含まれている。これらの値の基礎体温平均値は、既述の演算（特に、図１３のステップＳ５０４，Ｓ５０５）によって求められたものである。
【０１５６】
これらの結果、このシステム１００によれば、婦人の健康管理をより良く支援できる。
【０１５７】
スマートフォン２００が上記「マイリズム」のモードを有する場合も、スマートフォン２００にサーバ３００の機能を組み込んで、本発明の婦人体温関連情報表示装置を小型かつコンパクトに構成してもよい。
【０１５８】
また、このようなスマートフォン（サーバ３００の機能を組み込んだもの）に、さらに体温計４００のセンサ部４３０を組み込むことにより、本発明の婦人体温関連情報表示装置を、実質的にスマートフォンのみで構成しても良い。
【０１５９】
また、これらの各タイプのスマートフォン（サーバ３００の機能を組み込んだもの、さらに体温計４００のセンサ部４３０を組み込んだもの）に代えて、各タイプのスマートフォンと同じ構成要素と機能を有するノート型パーソナルコンピュータまたは携帯電話を用いて、本発明の婦人体温関連情報表示装置を構成しても良い。
【符号の説明】
【０１６０】
１００  システム
２００  スマートフォン
２４０  表示部
３００  サーバ
４００  体温計
【図１】
0005938937.tif 000002
【図２】
0005938937.tif 000003
【図３】
0005938937.tif 000004
【図４】
0005938937.tif 000005
【図５】
0005938937.tif 000006
【図６】
0005938937.tif 000007
【図７】
0005938937.tif 000008
【図８】
0005938937.tif 000009
【図９】
0005938937.tif 000010
【図１０】
0005938937.tif 000011
【図１１】
0005938937.tif 000012
【図１２】
0005938937.tif 000013
【図１３】
0005938937.tif 000014
【図１４】
0005938937.tif 000015